(57)【要約】      （修正有）【課題】比較的軽いドアに廉価に適用できる簡易自動閉成装置を提供する。【解決手段】一端側に壁側取付具１０を他端側にドア側取付具を備えた伸縮性袋部材１２と、この伸縮性袋部材に沿うようにして壁側取付具及びドア側取付具間に配置されドアに閉成方向の力を付与する弾性長尺部材５とを備える。伸縮性袋部材は、ドアの開閉に伴い伸縮しその容積７が変化する。この容積変化による気体の出入りを可能にする弁装置１３を伸縮性袋部材に配置する。この弁装置は吸気用の径大弁孔と排気用の径小弁孔１５ａを備え、伸縮性袋部材が伸張されるときの陰圧により径大弁孔を開放し、収縮時の陽圧により径大弁孔を閉成する一方向弁体１５の動作により自動閉成が緩やかになされる。【選択図】図１
0003184933.tif 000002
【実用新案登録請求の範囲】
【請求項１】
一端側に壁側取付具を他端側にドア側取付具を備えた伸縮性袋部材と、この伸縮性袋部材に沿うようにして前記壁側取付具及びドア側取付具間に配置され前記ドアに閉成方向の力を付与するための弾性長尺部材と、前記伸縮性袋部材の適宜の部位に配置されその伸縮性袋部材内の気体の出入りを可能にする弁装置とからなり、この弁装置は、径大弁孔を有する弁孔形成部材とこの弁孔形成部材に前記径大弁孔を一方向から開閉するように配置され且つ径小弁孔を形成した一方向弁体とからなり、この一方向弁体は前記伸縮性袋部材が伸張されるときの陰圧により前記径大弁孔を開放し、収縮時の陽圧により前記径大弁孔を閉成することを特徴とするドアの簡易自動閉成装置。
【請求項２】
更に、テレスコープ構造に組み合わされた第１及び第２の案内筒部材かなる案内筒を有し、この案内筒を前記壁側取付具と前記ドア側取付具との間に配置し、この案内筒内に前記伸縮性袋部材及び前記弾性長尺部材を収容したことを特徴とする請求項１に記載のドアの簡易自動閉成装置。
【請求項３】
前記弾性長尺部材がゴム又は金属製スプリングであることを特徴とする請求項１又は２の何れか一つに記載のドアの簡易自動閉成装置。
【請求項４】
前記伸縮性袋部材及び前記弾性長尺部材がこれら両者の機能を兼ねる蛇腹状弾性伸縮管からなることを特徴とする請求項１又は２の何れか一つに記載のドアの簡易自動閉成装置。
【考案の詳細な説明】
【技術分野】
【０００１】
本考案は、開放されたドアを自動閉成させるドアの簡易自動閉成装置に関する。
【背景技術】
【０００２】
建物の出入り口に設けたドアを手で開放した後、手を離すとドアが自動的に閉成するようにしたドアの自動閉成装置は、数多くのタイプが知られ、また、市販されている。中でも最も多い事例は、例えば特許文献１及び２に示すように、ピストン機構、作動流体、制動弁、及びリンク機構を備えた複雑な機構を持つ。これら公知の自動閉成装置は、重いドアの開閉操作を対象にしており、構成の複雑さに見合った高い性能を発揮する。
【０００３】
ところで、家庭用家屋の勝手口などでは玄関口に比べドアの開閉が頻繁に行われるのが常であるが、蚊や犬猫の侵入を嫌いドアをいちいち手で閉めねばならない。玄関口のドアに自動閉成装置を取り付ける例があっても、勝手口のドアにまで取り付ける例は少ない。暖冷房を一室に限定し省エネを図る上でも、部屋間を仕切る出入り口のドアに自動閉成装置を取り付けることも好ましいが、その例は少ない。
【先行技術文献】
【特許文献】
【０００４】
【特許文献１】特開２００４−３２９３号公報
【特許文献２】特開２０１０−２４８７３９号公報
【考案の概要】
【考案が解決しようとする課題】
【０００５】
これまでの自動閉成装置は、高性能ではあるが、構成が複雑で高価であるため、勝手口のドアや部屋間を仕切る出入り口のドアに取り付けるのには相応しくない。
本考案の目的は、簡単且つ廉価な構成で、軽量ドアに取り付けるのに適合するドアの簡易自動閉成装置を提供することにある。
【課題を解決するための手段】
【０００６】
本考案によるドアの簡易自動閉成装置は、一端側に壁側取付具を他端側にドア側取付具を備えた伸縮性袋部材と、この伸縮性袋部材に沿うようにして前記壁側取付具及びドア側取付具間に配置され前記ドアに閉成方向の力を付与するために弾性的に伸縮する弾性長尺部材とを備える。前記伸縮性袋部材は、ドアの開閉に伴い伸縮しその容積が変化する。この容積変化による気体の出入りを可能にする弁装置を伸縮性袋部材の適宜の部位に配置する。この弁装置を径大弁孔を有する弁孔形成部材とこの弁孔形成部材に前記径大弁孔を一方向から開閉するように配置され径小弁孔を形成した一方向弁体とから構成する。この一方向弁体は、前記伸縮性袋部材が伸張されるときの陰圧により前記径大弁孔を開放し、収縮時の陽圧により前記径大弁孔を閉成し、これによりドアの手による開放操作が楽になり、自動閉成が緩やかになされる。
【考案の効果】
【０００７】
このドアの簡易自動閉成装置は、回転機構やリンク機構が不要で、また、ピストン機構のような気密摺動部も存在しないので、軽いドアに廉価に適用することができる。
【図面の簡単な説明】
【０００８】
【図１】本考案の一実施例を示す壁側取付部分の拡大断面図
【図２】同実施例のドア側取付部分の拡大断面図
【図３】同実施例の案内筒を示す断面図
【図４】同実施例の伸縮性袋部材を示す縦断面図
【図５】同実施例の弁装置の主要部を示す拡大斜視図
【図６】同実施例の壁側取付具の主要部の斜視図
【図７】同実施例の弁装置部分の縦断面図
【図８】同実施例の建物の出入り口部分の平面図
【図９】同実施例の図８とは異なる状態の出入り口部分の平面図
【図１０】本考案の変形例を示す一部切欠平面図
【考案を実施するための最良の形態】
【０００９】
以下、本考案の一実施例を図面を参照しながら説明する。この自動閉成装置１は、図８及び図９に示すように建物の出入り口２に設けられたドア３と壁４との間に連結され、手で開放されたドア３を自動的に閉成方向に回動させる作用を持つ。この自動閉成装置１では、ドア３の閉成力をドア３と壁４との間に連結された弾性長尺部材例えば複数本を束にしたゴム紐５によって得る。このゴム紐５を収容し案内する伸縮可能な案内筒６（図３）とドアの急激の自動閉成を阻止して緩やかに自動閉成させる空気ダンパ７を備える。
【００１０】
前記案内筒６は半円状に湾曲した第１及び第２の案内筒部材８、９とからなり、第１の案内筒部材８を第２の案内筒部材９に挿入した伸縮可能なテレスコープ構造に組み合わせる。第１の案内筒部材８の取付端部８ａを第１の取付具（壁側取付具）１０を介して壁４に取り付け（図１）、第２の案内筒部材９の取付端部９ａを第２の取付具（ドア側取付部）１１を介してドア３に取り付ける（図２）。これにより、ドア３を開閉すると第１の案内筒部材８が第２の案内筒部材９に対して摺動移動し、案内筒６は円弧状に伸縮する。
【００１１】
前記空気ダンパ７は、前記案内筒６内に収容される蛇腹状の伸縮性袋部材１２（図４）とこの伸縮性袋部材１２の適宜の部位例えば一端部に備えられた弁装置１３（図１、図５）とからなる。伸縮性袋部材１２の一端を図１に示すように、第１の取付具１０に形成した連結筒部１０ａに前記弁装置１３を構成する弁孔形成部材である弁孔形成膜１４を気密に装着し、また、図２に示すように伸縮性袋部材１２の他端を第２の取付具１１に形成した連結筒部１１ａの閉鎖端外周に気密に接着する。これにより、ドア３の開閉によりテレスコープ構造の案内筒６が伸縮すると伸縮性袋部材１２も伸縮する。
【００１２】
伸縮性袋部材１２は、ドア３の開閉により伸縮すると容積が変化し、それに伴って気体の吸引と排出を弁装置１３を介して行う。この弁装置１３の前記弁孔形成膜１４は、図６、図７に示すように第１の取付具１０の連結筒部１０ａの突出端開口部に被さる形で取り付け、その適宜部分に径大弁孔１４ａとこの径大弁孔１４ａ内に、径小弁孔１５ａを形成した一方向弁体１５を設ける。
【００１３】
これら径大弁孔１４ａ、径小弁孔１５ａ、及び一方向弁体１５を有する弁孔形成膜１４を合成ゴムによる一体成形によって形成する。この成型時に有端溝１４ａを形成することにより一方向弁体１５が連結片１５ｂを介して前記径大弁孔１４ａの縁部に一体的につながり、一方向弁体１５は連結片１５ｂでの屈曲を伴って径大弁孔１４ａから出入りする動きが可能になる。この一方向弁体１５を排気方向の気流に対してのみ径大弁孔１４ａを閉成状態に維持させるためにストッパ部１０ｃを前記第１の取付具１０の連結筒部１０ａの内側に形成する。
【００１４】
前記伸縮性袋部材１２内の気体が前記案内筒６内外間で出入り可能にするために、前記連結筒部１０ａの外周と前記第１の案内筒部材８の外周のうち取付端に近い部分とに夫々通気開口部１０ｂ、８ｂを形成する。前記案内筒６内に収容されたゴム紐５の両端のうち、一端側を図１に示すように支持リング１６により前記取付具１０とで挟持し、他端側を図２に示すように支持リング１７により前記取付具１１とで挟持し、これによりゴム紐５の各端を夫々第１の案内筒部材８及び第２の案内筒部材９の取付端側に連結する。
【００１５】
次に上記構成の作用について説明する。ドア３が開放位置或いは閉成位置に静止しているときは、伸縮性袋部材１２の内外圧力差がないので、一方向弁体１５は、弾性復元力によって図７に実線で示すように径大弁孔１４ａを小さい開口面積の有端溝１４ｂのみが通気する実質的な閉成状態に保つ。ドア３が図８に示す閉成状態にあるときは、案内筒６が最も短縮した状態にあり、伸縮性袋部材１２及びゴム紐５も最も短縮した状態にある。
【００１６】
ドア３を図９に示すように手で開放方向に回動すると、第１及び第２の案内筒部材８、９の相対的な摺動により案内筒６が円弧状に伸び、これに伴って伸縮性袋部材１２及びゴム紐５が伸びる。伸縮性袋部材１２が伸張するとその容積の増大に伴い陰圧になることから、一方向弁体１５が図７に想像線で示すように袋部材内方に変形して径大弁孔１４ａを開放し、この弁孔１４ａを通じて気体が伸縮性袋部材１２内に流入する。このとき、気体が通る径大弁孔１４ａの口径が比較的大きいので、伸縮性袋部材１２の陰圧が小さく容易に伸張され、これによりドア３の開放操作を軽い力で行うことができる。
【００１７】
開放されたドア３から手を離すとゴム紐５の収縮力によりドアが自動的に閉成方向に回動する。この閉成方向の回動により伸縮性袋部材１２も収縮を進行し内部気体圧が陽圧に転じ、前記一方向弁体１５が図７に実線で示すように径大弁孔１４ａを閉じる状態に戻り、以後、伸縮性袋部材１２内の気体が一方向弁体１５に形成してある径小弁孔１５ａを通じて排気される。
【００１８】
この径小弁孔１５ａの口径が比較的小さいので排気が徐々になされ、これに伴い伸縮性袋部材１２の収縮速度が低下するのでドア３の閉成速度が緩慢になり、ゴム紐５の収縮力によるドア３の急激な自動閉成が防止される。ドア３の開閉動作に伴いゴム紐５が案内筒６の内面である円弧形状面に沿い伸縮するので、その力の向きが常にドアの円弧軌跡の接線方向を向く。この結果、ゴム紐５の収縮力をドア３の閉成力に効果的に寄与させることができる。
【００１９】
上記実施例では、案内筒６は収縮性袋部材及び弾性長尺部材を円弧軸線に沿い収縮させるための案内部材であるから、この作用が得られる構造であればよく、上記のような案内筒部材のテレスコープ構造に限られない。ドアの閉成力を得る弾性長尺部材をゴム紐としているが、金属製コイルスプリングであってもよい。上記実施例では、伸縮性袋部材１２を蛇腹管としたが、これに限られず円弧形状を保持して、或いは保持されて伸縮する気密性袋であればよい。
【００２０】
伸縮性袋部材１２を円弧形状を保持して伸縮する蛇腹管或いは袋部材とした場合は、案内筒６は不要であり、ゴム紐５の作用を伸縮性袋部材１２に持たせてもよい。その具体例を示したのが図１０に示す変形例である。この例では、弾性伸縮管１８を壁４とドア３との間に前述同様に壁側取付具１０及びドア側取付具１１を介して連結する。この弾性伸縮管１８は、その管壁をＶ字屈曲部１９が連続して有する蛇腹状管に形成した構成である。Ｖ字屈曲部１９を含む管壁を合成ゴムにより厚壁に形成し、特にＶ字屈曲部１９の開角が自然状態でゼロ度に近い形状に成形する。
【００２１】
これにより弾性伸縮管１８は、図１０のようにドア３が開いた状態では、Ｖ字屈曲部１９の厚壁による強い弾性力によりドア３に閉成力をもたらす。このときの急激な閉成は壁側取付具１０に装置された前述同様の弁装置１３により防止される。この構成では、蛇腹状弾性伸縮管１８は、肉厚の大きい蛇腹壁によって強い弾性力と円弧状を保って伸縮する成形癖付けが保持される結果、前述の案内筒６とゴム紐５を兼ねることになる。
【符号の説明】
【００２２】
３はドア、５はゴム紐、６は案内筒、７は空気ダンパ、８は第１の案内筒部材、９は第２の筒部材、１０及び１１は取付具、１２は伸縮性袋部材、１３は弁装置、１４は弁形成膜、１４ａは径大弁孔、１５は一方向弁体、１５ａは径小弁孔、１８は弾性伸縮管、１９はＶ字屈曲部である。
【図１】
0003184933.tif 000003
【図２】
0003184933.tif 000004
【図３】
0003184933.tif 000005
【図４】
0003184933.tif 000006
【図５】
0003184933.tif 000007
【図６】
0003184933.tif 000008
【図７】
0003184933.tif 000009
【図８】
0003184933.tif 000010
【図９】
0003184933.tif 000011
【図１０】
0003184933.tif 000012